(57)【要約】【課題】  処理対象中に含まれる濁度成分、金属イオン、鉛イオン、アルミニウム、遊離残留塩素、有機塩素化合物、トリハロメタン、ＣＡＴ（農薬）、２−ＭＩＢ（カビ臭）、硝酸性窒素、クリプトスポリジウム等の５μｍ以上の菌類などの有害物質を除去すると同時に還元機能を有する機能水を作る磁気マイナスイオン浄化還元浄水器の提供にある。【解決手段】  水の活性化を主目的とした第１カートリッジ１０の磁気電子マイナスイオン活水器と、種々のメッシュからなる複数の平膜フィルター２２によって多層に分室され、有害物質吸着、金属イオン除去、金属イオン交換、主なるイオン溶出、脂肪分解マイナスイオン溶、還元機能イオン溶出を主目的とした第２カートリッジ２０と、さらに処理対象水流入側及び吐出口側接続チューブを挟み込むように取り付ける磁気活水器６０から成り、通過する処理対象水を浄化還元機能水化するようにした。【選択図】      図１
2005296801.tif 000002
【特許請求の範囲】
【請求項１】
フェライト磁石またはネオジム磁石等の永久磁石の上下に磁性体金属あるいは樹脂をサンドイッチ状態としてコア部品を形成すると共に、該コア部品の廻りに半導体セラミックス、マイナスイオンセラミックスを回転できるように装着して形成した磁気電子マイナスイオン活水器を第１カートリッジとし、通過する処理対象水を活水化するようにしたことを特徴とする磁気マイナスイオン還元機能浄水器。
【請求項２】
前記第１カートリッジに隣接一体化させ、多層に分室されて多種の機能性セラミックス、活性炭、イオン交換樹脂を充填した第２カートリッジを備えたことを特徴とする請求項１記載の磁気マイナスイオン還元機能浄水器。
【請求項３】
前記第２カートリッジ内を多層に仕切る仕切膜として、処理対象水の流れの方向に沿って、上流側から順に、２０〜４０メッシュからなる粗目の第１の樹脂製網、ろ過粒径１０〜５０μｍからなる細目の第１平膜フィルター、１００〜１５０メッシュからなる細目の第２の樹脂製網、ろ過粒径５０〜１００μｍからなる粗目の第２平膜フィルター、２０〜４０メッシュからなる粗目の第３樹脂製網を配置し、これらの樹脂製網と平膜フィルターをケース内に一体固定配置したことを特徴とする請求項２記載の磁気マイナスイオン還元機能浄水器。
【請求項４】
前記樹脂製網及び平膜フィルターは、通過する処理対象水によってメッシュ径及びろ過粒径の変更が可能であることを特徴とする請求項３記載の磁気マイナスイオン還元機能浄水器。
【請求項５】
前記第１及び第２平膜フィルターの間に、活性炭及び吸着剤を含有させたことを特徴とする請求項３又は４記載の磁気マイナスイオン還元機能浄水器。
【請求項６】
前記仕切り膜の層間に、テープ状イオン交換繊維フィルターをバームクーヘン状に形成して金属イオン除去フィルターコアとしたものを充填固定し各種重金属イオンをイオン交換、吸着、除去するようにしたことを特徴とする請求項３又は４記載の磁気マイナスイオン還元機能浄水器。
【請求項７】
前記仕切り膜の層間に、磁気エネルギー触媒半導体セラミックス、マイナスイオン発生セラミックス等の触媒セラミックスを充填し、処理対象水に対してマイナスイオンを含有させることによって脂肪分等の油脂成分を分解することができるようにしたことを特徴とする請求項３〜６いずれか１項記載の磁気マイナスイオン還元機能浄水器。
【請求項８】
前記仕切り膜の層間の最下流層内に、粒状還元セラミックスを充填し、回転摩擦エネルギーによって溶出した各イオン成分が遊離残留塩素と反応してイオン結合反応し活性酸素を還元すると共に、酸化された成分が硫酸カルシウムの新たなミネラル成分を生成する亜硫酸カルシウムセラミックス又は固形ビタミンCであることを特徴とする請求項３〜７記載の磁気マイナスイオン還元機能浄水器。
【請求項９】
前記粒状還元セラミックスは、亜硫酸カルシウムセラミックスもしくはビタミンC又は各単体以外に摩擦エネルギーを高めることができる高硬度で磁性を有する二酸化チタンセラミックスとマイナスイオン発生セラミックスを含むことを特徴とする請求項８記載の磁気マイナスイオン還元機能浄水器。
【請求項１０】
前記マイナスイオン発生セラミックスは８（Ａｌ２Ｏ３・２ＳｉＯ２）、１．５(Ｋ２Ｏ・Ａｌ２Ｏ３・６ＳｉＯ２)、１(ＴｈＯ２・５ＳｉＯ２)で構成され、前記イオン交換繊維フィルターコアはアクリロニトリル／アクリレート複合繊維カルシウム置換体を化学成分とした布に微粒子状活性炭を含有することで構成され、前記亜硫酸カルシウムセラミックスは２（Ｋ２Ｏ・３Ａｌ２Ｏ・６ＳｉＯ２）、３(Ｋ２Ｏ・Ａｌ２Ｏ３・２ＳｉＯ２）ＴｉＯ２・１／４Ａｇ２Ｏで構成されていることを特徴とする請求項６又は９記載の磁気マイナスイオン還元機能浄水器。
【請求項１１】
前記磁気電子マイナスイオン活水器の流入側チューブ及びセラミックス充填カートリッジの吐出側チューブを挟み込む状態で単極磁場磁気活水器を配置して通過処理対象水を活性化及び熟成化するようにしたことを特徴とする請求項１又は２記載の磁気マイナスイオン還元機能浄水器。
【発明の詳細な説明】
【技術分野】
【０００１】
本発明は、水道水や井戸水等の処理対象水が通過可能であり、磁気電子マイナスイオン活水器とミネラルセラミックス、イオン交換樹脂、イオン交換繊維活性炭フィルター、銀イオンコーティング活性炭、マイナスイオンミネラルイオン溶出セラミックスを充填したカートリッジ及び単極磁場磁気活水器を備えた主に家庭用の磁気マイナスイオン還元機能浄水器に関するものである。
【背景技術】
【０００２】
従来より、水（原水）中に含有する赤錆、残留塩素、又は有機塩素化合物等を除去する手段として、浄水器（ろ過器）が広く使用されている。
【０００３】
この種の浄水器としては、サンドフィルター及び活性炭、セラミックス粒子、あるいは中空糸膜を用いてＳＳ（懸濁物質）を除去するもの、水中の金属イオンを吸着除去するためにカチオンイオン交換樹脂をカートリッジに充填したもの、水の硝酸性窒素を除去する目的でイオン交換樹脂を充填したもの（特許文献１参照）、あるいは限界ろ過膜（ＲＯ）を使用したもの（特許文献２参照）、または塩素イオン、臭気、過マンガン酸カルシウム消費量成分を吸着除去するために活性炭を用いたものが知られている（特許文献３参照）。
【０００４】
さらに、還元機能水を得るために電気分解型浄水器等が知られている。また、磁気水処理器においては、浄水器とは別途の装置として使用する方法が一般的に行われているが、ＲＯ型逆浸透膜浄水器以外は最近問題化している硝酸性窒素、ホルムアルデヒド、トリハロメタン、ヒ素、環境ホルモン、ダイオキシン、農薬、アルミニウム等を除去することは不可能であった。
【０００５】
【特許文献１】特開平１０−２９０９０８号公報
【特許文献２】特開２００３−１５５９７４号公報
【特許文献３】特開２００４−８１９７８号公報
【発明の開示】
【発明が解決しようとする課題】
【０００６】
前述した従来の浄水器では、硝酸性窒素、濁度成分、金属イオン、有機塩素化合物、菌類等のいずれかの除去を主眼とするものでありこれら全てを同時に除去することはできず、仮に全ての上記有害物質を除去しようとすると、全体形状が非常に大型化したり又高価格になるという問題があり、又単純ろ過方式の浄水器では硝酸性窒素、ホルムアルデヒド、トリハロメタン、ヒ素、環境ホルモン、ダイオキシン、農薬、アルミニウム等を除去して水質基準をクリアーすることは不可能であった。
【０００７】
また、硝酸性窒素、ホルムアルデヒド、トリハロメタン、ヒ素、アルミニウム成分、ＣＡＴ(農薬成分)、２−ＭＩＢ(カビ臭)、環境ホルモンを同時に除去できるＲＯ膜型浄水器においては、処理水量が０．０５Ｌ／ｍｉｎ以下であるとともに、形態が汲置型の浄水器であり、使い勝手や雑菌が増殖するという問題がある。
【０００８】
本発明の課題は、処理対象水中に含まれる濁度成分、金属イオン、鉛イオン、アルミニウム、遊離残留塩素、有機塩素化合物、トリハロメタン、ＣＡＴ（農薬)、２−ＭＩＢ(カビ臭)、硝酸性窒素、クリプトスポリジウム等の５μｍ以上の菌類などの有害物質を除去すると同時に還元機能を有する機能水を作り出す磁気マイナスイオン浄化還元浄水器を提供することにある。
【課題を解決するための手段】
【０００９】
上記課題を解決するため、以下のような手段を採用した。
本発明に係る磁気マイナスイオン還元機能浄水器は、水の活性化を主目的とした第1カートリッジの磁気電子マイナスイオン活水器と、有害物質吸着、金属イオン除去、金属イオン交換、主なるイオン溶出、脂肪分解マイナスイオン溶出、還元機能イオン溶出を主目的とした第２カートリッジと、さらに処理対象水流入側及び吐出口側接続チューブを挟み込むように取り付ける磁気活水器から成り立ち、通過する処理対象水を浄化還元機能水化するようにしたことを特徴とする。
【００１０】
すなわち、請求項1記載の磁気マイナスイオン還元機能浄水器は、フェライト磁石またはネオジム磁石等の永久磁石の上下に磁性体金属あるいは樹脂をサンドイッチ状態としてコア部品を形成すると共に、該コア部品の廻りに半導体セラミックス、マイナスイオンセラミックスを回転できるように装着して形成した磁気電子マイナスイオン活水器を第１カートリッジとし、通過する処理対象水を活水化するようにしたことを特徴としている。
【００１１】
請求項２記載の磁気マイナスイオン還元機能浄水器は、請求項１記載の発明において、第１カートリッジに隣接一体化させ、多層に分室されて多種の機能性セラミックス、活性炭、イオン交換樹脂を充填した第２カートリッジを備えたことを特徴としている。
【００１２】
請求項３記載の磁気マイナスイオン還元機能浄水器は、請求項２記載の発明において、第２のカートリッジ内を多層に仕切る仕切膜として、処理対象水の流れの方向に沿って、上流側から順に、２０〜４０メッシュからなる粗目の第１の樹脂製網、ろ過粒径１０〜５０μｍからなる細目の第１平膜フィルター、１００〜１５０メッシュからなる細目の第２の樹脂製網、ろ過粒径５０〜１００μｍからなる粗目の第２平膜フィルター、２０〜４０メッシュからなる粗目の第３樹脂製網を配置し、これらの樹脂製網と平膜フィルターをケース内に一体固定配置したことを特徴としている。
【００１３】
請求項４記載の磁気マイナスイオン還元機能浄水器は、請求項３記載の発明において、樹脂製網及び平膜フィルターは、通過する処理対象水によってメッシュ径及びろ過粒径の変更が可能であることを特徴としている。
【００１４】
そして、請求項５、６、７に記載の磁気マイナスイオン還元機能浄水器は、請求項２〜４の発明において、第２のカートリッジは、その処理対象水流入側、流出側にそれぞれ不織布フイルター(あるいはベルイータ)カセット板を固定するとともに、カートリッジ内部を仕切り膜によって具体的には４層に分けて、第１層には麦飯石を主成分とするセラミックス粒子とＣａｌＯ３  を主成分とするＣＲＲセラミックス粒子、さらにゼオライトセラミックス粒子を充填しセラミックス溶出層とし、第２層には特殊イオン交換樹脂と、テープ状繊維機能性活性炭コア吸着材を装置し、硝酸性窒素成分、鉛金属イオン、アルミニウム成分除去層とし、また特殊イオン交換樹脂はジビニルベンゼン、スチレン共重合体の4級アミノ化合物を充填し、第３層には有機塩素化合物・トリハロメタン・ＣＡＴ・２−ＭＩＢ類を吸着するための銀コーティング活性炭と鉛、アルミ金属イオン成分を吸着及びイオン交換するテープ状繊維機能性活性炭コアを充填し、第４層には脂肪成分分解機能を有するマイナスイオン照射の為のマイナスイオンセラミックスと活性酸素を還元するためのミネラル成分を溶出する亜硫酸カルシウムセラミックスを充填した。
【００１５】
請求項８記載の磁気マイナスイオン還元機能浄水器は、請求項３〜７のいずれか１項記載の発明において、仕切り膜の層間の最下流層内に、粒状還元セラミックスを充填し、回転摩擦エネルギーによって溶出した各イオン成分が遊離残留塩素と反応してイオン結合反応し活性酸素を還元すると共に、酸化された成分が硫酸カルシウムの新たなミネラル成分を生成する亜硫酸カルシウムセラミックス又は固形ビタミンCであることを特徴としている。
【００１６】
請求項９記載の磁気マイナスイオン還元機能浄水器は、請求項８記載の発明において、粒状還元セラミックスは、亜硫酸カルシウムセラミックスもしくはビタミンC又は各単体以外に摩擦エネルギーを高めることができる高硬度で磁性を有する二酸化チタンセラミックスとマイナスイオン発生セラミックスを含むことを特徴としている。
【００１７】
請求項１０記載の磁気マイナスイオン還元機能浄水器は、請求項６又は９記載の発明において、マイナスイオン発生セラミックスは８（Ａｌ２Ｏ３・２ＳｉＯ２）、１．５(Ｋ２Ｏ・Ａｌ２Ｏ３・６ＳｉＯ２)、１(ＴｈＯ２・５ＳｉＯ２)で構成され、前記イオン交換繊維フィルターコアはアクリロニトリル／アクリレート複合繊維カルシウム置換体を化学成分とした布に微粒子状活性炭を含有することで構成され、前記亜硫酸カルシウムセラミックスは２（Ｋ２Ｏ・３Ａｌ２Ｏ・６ＳｉＯ２）、３(Ｋ２Ｏ・Ａｌ２Ｏ３・２ＳｉＯ２）ＴｉＯ２・１／４Ａｇ２Ｏで構成されていることを特徴としている。
【００１８】
請求項１１記載の磁気マイナスイオン還元機能浄水器は、請求項１又は２記載の発明において、磁気電子マイナスイオン活水器の流入側チューブ及びセラミックス充填カートリッジの吐出側チューブを挟み込む状態で単極磁場磁気活水器を配置して通過処理対象水を活性化及び熟成化するようにしたことを特徴としている。
【発明の効果】
【００１９】
本発明に係る磁気マイナスイオン還元機能浄水器によれば、
（１）第２のカートリッジのＡ層の麦飯石セラミックス＋ＣＲＲセラミックス＋ゼオライトセラミックスによって、多元素ミネラル成分が溶出し、処理対象水中に含まれる有害ミネラル成分とイオン結合し、フロック状態になるので、下流の充填ろ材によって有害除去物質を分離向上が図れ、また、劣化防止を図れる。
（２）特殊イオン交換樹脂層において、人工的に作った処理対象水に硝酸性窒素を２０ｍｇ／Ｌ含有させて原水とし９０％以上の除去で１０００Ｌまで処理することができ、また飽和状態にイオン交換された樹脂は食塩水のＣｌ−  によって再生することが可能である。
（３）流体の磁化活性化装置による通過する処理対象水に対するフレミングの法則及びローレンツの起電力法則に従って微電圧を発生させ、処理対象水を磁気イオン活性化することにより下流のマイナスイオン発生セラミックスとの相乗効果によって脂肪成分の触媒分解効率を高めることができる。
（４）マイナスイオン発生セラミックス層にて鉱物性マイナスイオン及び電気的マイナスイオンを５００〜１２００個／ｃｃ発生させることができる。
（５）弱酸性型イオン交換繊維充填層にて鉛０．０５ｍｇ／Ｌ含有原水を０．０１ｍｇ／Ｌ以下に３０，０００Ｌ以上確実に処理することができる。
（６）超高度亜硫酸カルシウムセラミックス層にて極微少量溶出する非炭酸カルシウムミネラル成分により、ビタミンＣ、カテキン、ポリフェノールと同様に体内水を還元する還元機能水に処理対象水を変えることができる。
（７）活性炭吸着層にてトリハロメタン成分を１０，０００Ｌ以上、遊離残留塩素成分を１００，０００Ｌ以上（１００％カット）、ＣＡＴ（農薬成分)、２−ＭＩＢ（カビ臭成分）を各カートリッジ充填ろ材相乗効果によって３０，０００Ｌ以上カットすることができる。
（８）第２カートリッジが各々その内部を異なる充填ろ材で複数層に分け、かつ複数の異なるメッシュの平膜フィルターにて仕切ったので、μｍ単位の濁度成分除去と、各層充填ろ材の混合防止と、さらに充填ろ材間を通過する処理対象水の水道ショートカットの防止と、塩素消毒殺菌剤では殺菌させることができない５μｍ程度のクリプトスポリジウム菌類を確実に除去することができる。
【発明を実施するための最良の形態】
【００２０】
以下、図面を参照して、本発明に係る磁気マイナスイオン還元機能浄水器の一実施の形態について説明する。
図1は、本発明の一実施形態である磁気マイナスイオン還元機能浄水器の内部構造を示す。
図に示すように、磁気マイナスイオン還元機能浄水器１００は、通過水の磁気マイナスイオン活性化を主目的とした磁気電子マイナスイオン活水器である第１カートリッジ１０と、ミネラルイオン成分溶出、金属イオン交換、鉛イオン交換吸着、有害物質吸着、活性酸素中和ミネラル溶出を主目的とした第２カートリッジ２０とからなり、第１カートリッジ１０と第２カートリッジ２０はインサートネジによって接合した一体構造となっている。第２カートリッジ２０は第１カートリッジ１０の上部に位置する。
【００２１】
第１カートリッジ１０は、図に示すように、フェライト磁石またはネオジム磁石等の永久磁石１３の上下に磁性体金属あるいは樹脂１４をサンドイッチ状態としてコア部品を形成すると共に、該コア部品の廻りにチューブ状の半導体セラミックス１２、マイナスイオンセラミックス１１を回転できるように装着して形成されている。
【００２２】
第２のカートリッジ２０の処理対象水(原水)を流入させる入口部分と流出させる出口部分にはそれぞれ、カセット形式の平膜フィルター２１が取り付けられている。その入口部分は処理対象水を流入させることと第1カートリッジ１０を接合させるためにネジ構造となり第１カートリッジ１０に接合されている。また、出口部分には吐出側チューブ３２が接続されている。
【００２３】
第２のカートリッジ２０内部は平膜フィルター２２でＡ，Ｂ，Ｃ，Ｄの４層に区分されており、Ａ層は麦飯石セラミックス粒子と炭酸カルシウムを主成分とするＣＲＲセラミックス粒子、ゼオライトセラミックス粒子とで構成されており、処理対象水中に多元素ミネラル成分を溶出する。
また、Ｂ層はジビニルベンゼン・スチレン共重合体の４級アミン化合物（塩化イオン型）の特殊イオン交換樹脂で硝酸性窒素や亜硝酸性窒素をイオン交換除去するとともに鉛金属イオンを吸着イオン交換するためのイオン交換繊維フィルターを、Ｃ層には有機塩素化合物、トリハロメタン、ＣＡＴ、２−ＭＩＢ(カビ臭成分)を吸着するための銀イオンコーティング活性炭と、鉛金属イオン吸着イオン交換用イオン交換繊維フィルターを、Ｄ層は活性酸素を還元するためのミネラル成分を溶出する亜硫酸カルシウムセラミックスと脂肪分を分解するマイナスイオン発生用マイナスイオン発生セラミックスで構成されている。
【００２４】
そして、前記Ｄ層のマイナスイオン発生セラミックスは８（Ａｌ２Ｏ３・２ＳｉＯ２）、１．５(Ｋ２Ｏ・Ａｌ２Ｏ３・６ＳｉＯ２)、１(ＴｈＯ２・５ＳｉＯ２)で構成され、前記Ｂ，Ｃ層のイオン交換繊維フィルターはアクリロニトリル／アクリレート複合繊維カルシウム置換体を化学成分とした弱酸性型で構成され、銀イオンコーティング活性炭は９０％以上炭素成分で構成され、前記亜硫酸カルシウムセラミックスは２（Ｋ２Ｏ・３Ａｌ２Ｏ・６ＳｉＯ２）、３(Ｋ２Ｏ・Ａｌ２Ｏ３・２ＳｉＯ２）ＴｉＯ２・１／４Ａｇ２Ｏで構成されている
【００２５】
上記第１カートリッジ１０、第２カートリッジ２０、及び吐出側チューブ３２、流入側チューブ３１の一部はケース４０に収納されており、架台５０の側面下方には処理対象水の流入側、吐出側チューブ３１，３２が露出されている。
【００２６】
また、流入側チューブ３１、吐出側チューブ３２を挟み込む形式で単極磁場磁気活水器６０が配置されており、入口側ラインで処理通過水を活性化し、吐出側ラインで処理通過水を熟成化させることを主目的としている。
【００２７】
図１に示す切替コック７０は用途別に、活水ストレート、活水シャワー、原水、逆洗浄水と４方向切替可能な水栓切替コックとなっている。
【実施例】
【００２８】
以下の性能試験は、上記実施の形態に係る水浄化還元機能浄水器について、財団法人日本食品分析センター(甲と記す。)または株式会社新日本環境コンサルタント(乙と記す。)にて行われたもので、そのときの試験データである。
（１）遊離残留塩素除去性能試験(甲)
ａ．試験概要：JIS S 3201 1999「家庭用浄水器試験方法」の連続式浄水器によって、遊離残留塩素を2±0.2mg/Lの濃度に、水温を２０±３℃に設定した試料水を調整し、検体にろ過流量3.7L/minで１０分間通水後、ろ過水及び試料水を採取して、遊離残留塩素を測定した。また、ろ過水及び試料水の測定値から除去率を算出した。なお、ろ過水中の濃度が検出限界以下の場合は検出限界から求めた。結果は表1のようになった。
【００２９】
【表１】
2005296801.tif 000003
（２）遊離残留塩素ろ過能力試験(甲)
ａ．試験概要：JIS S 3201 1999「家庭用浄水器試験方法」の連続式浄水器によって、遊離残留塩素を2±0.2mg/Lの濃度に、水温を２０±３℃に設定した試料水を調整し、検体にろ過流量3.7L/min通算１１０，０００Ｌ通水した。ろ過水及び、試料水を採取して、遊離残留塩素を測定した。また、ろ過水及び試料水の測定値から除去率を算出した。なお、ろ過水中の濃度が検出限界以下の場合は検出限界から求めた。結果は表２のようになった。
【００３０】
【表２】
2005296801.tif 000004
（３）総トリハロメタン除去性能試験(甲)
ａ．試験概要：JIS S 3201 1999「家庭用浄水器試験方法」の連続式浄水器によって、総トリハロメタン構成物質を表３の濃度に、水温を２０±３℃に設定した試料水を調整し、検体にろ過流量3.7L/minで１０分間通水後、ろ過水及び試料水を採取して、総トリハロメタンを測定した。また、ろ過水及び試料水の測定値から除去率を算出した。結果は表4のようになった。
【００３１】
【表３】
2005296801.tif 000005
【００３２】
【表４】
2005296801.tif 000006
（４）総トリハロメタンろ過性能試験(甲)
ａ．試験概要：JIS S 3201 1999「家庭用浄水器試験方法」の連続式浄水器によって、総トリハロメタン構成物質を表５の濃度に、水温を２０±３℃に設定した試料水を調整し、検体にろ過流量3.7L/minで通算10,000Ｌ通水した。通水開始時(１０分間通水後)ならびに5,000及び10,000Ｌ通水時に、ろ過水及び試料水を採取して、総トリハロメタンを測定した。また、ろ過水及び試料水の測定値から除去率を算出した。結果は表６のようになった。
【００３３】
【表５】
2005296801.tif 000007
【００３４】
【表６】
2005296801.tif 000008
（５）ＣＡＴ除去性能試験(甲)
ａ．試験概要：JIS S 3201 1999「家庭用浄水器試験方法」の連続式浄水器によって、ＣＡＴ(2−クロロ−4,6−ビス（エチルアミノ）−1,3,5−トリアジン)を0.0030±0.0006/Lの濃度に、水温を２０±３℃に設定した試料水を調整し、検体にろ過流量3.7L/minで１０分間通水後、ろ過水及び試料水を採取して、ＣＡＴを測定した。また、ろ過水及び試料水の測定値から除去率を算出した。結果は表７のようになった。尚、ろ過水中の濃度が検出限界以下の場合は検出限界から求めた。
【００３５】
【表７】
2005296801.tif 000009
（６）ＣＡＴろ過能力試験(甲)
ａ．試験概要：JIS S 3201 1999「家庭用浄水器試験方法」の連続式浄水器によって、ＣＡＴ(2−クロロ−4,6−ビス（エチルアミノ）−1,3,5−トリアジン)を0.0030±0.0006mg/Lの濃度に、水温を２０±３℃に設定した試料水を調整し、検体にろ過流量3.7L/minで通算30,000L通水した。通水開始時(１０分間通水後)ならびに5,000、10,000、20,000、30,000L通水時に、ろ過水及び試料水を採取して、総トリハロメタンを測定した。また、ろ過水及び試料水の測定値から除去率を算出した。なお、ろ過水中の濃度が検出限界以下の場合は検出限界から求めた。結果は表8のようになった。
【００３６】
【表８】
2005296801.tif 000010
（７）溶解性鉛除去性能試験(甲)
ａ．試験概要：JIS S 3201 1999「家庭用浄水器試験方法」の連続式浄水器によって、鉛を0.050±0,005mg/Lの濃度に、水温を２０±３℃に設定した試料水を調整し、検体にろ過流量3.7L/minで１０分間通水後、ろ過水及び試料水を採取して、溶解性鉛を測定した。また、ろ過水及び試料水の測定値から除去率を算出した。なお、ろ過水中の濃度が検出限界以下の場合は検出限界から求めた。結果は表９のようになった。
【００３７】
【表９】
2005296801.tif 000011
（８）溶解性鉛ろ過能力試験(甲)
ａ．試験概要：JIS S 3201 1999「家庭用浄水器試験方法」の連続式浄水器によって、鉛を0.050±0.005mg/Lの濃度に、水温を２０±３℃に設定した試料水を調整し、検体にろ過流量3.7L/minで通算30,000L通水した。通水開始時(１０分間通水後)ならびに5,000、10,000、20,000、30,000L通水時に、ろ過水及び試料水を採取して、溶解性鉛を測定した。また、ろ過水及び試料水の測定値から除去率を算出した。尚、ろ過水中の濃度が検出限界以下の場合は検出限界から求めた。結果は表１０のようになった。
【００３８】
【表１０】
2005296801.tif 000012
（９）硝酸性窒素除去性能試験(甲)
ａ．硝酸性窒素の濃度を15mg/Lに、水温を２０±３℃に設定した水(以下「原水」という。)を調整し、検体に流量3.7L/minで１０分間通水後、通過水及び原水を採取して、硝酸性窒素を測定した。結果は表１１のようになった。
【００３９】
【表１１】
2005296801.tif 000013
（１０）硝酸性窒素除去能力試験(乙)
ａ．硝酸性窒素の濃度を20mg/Lに、水温を２０±３℃に設定した水(以下「原水」という。)を調整し、検体に流量3.5L/minで１０分間通水後、500、1,000(L)通水時の、硝酸性窒素の除去能力を測定した。結果を表１２、１３、１４、１５に示す。なお、表１４，１５は表１２，１３に対応させた折れ線グラフである。
【００４０】
【表１２】
2005296801.tif 000014
【００４１】
【表１３】
2005296801.tif 000015
【００４２】
【表１４】
2005296801.tif 000016
【００４３】
【表１５】
2005296801.tif 000017
【００４４】
（１１）第２のカートリッジ(充填ろ材カートリッジ)
ａ．原水とろ過水をパーティクルカウンターにより計測し各粒子の除去効率を求めた。流量5L/min、流体は精製水、ダストはラテックスビーズ、ろ過法はワンパスろ過である。フィルターは公称５μｍタイプである。結果は表１６に示す。塩素殺菌でも死滅しないクリプトスポリジウムも、その径が５μｍ以上であるのでほぼ１００％除去できることが分かる。
【００４５】
【表１６】
2005296801.tif 000018
【産業上の利用可能性】
【００４６】
本発明に係る磁気マイナスイオン還元機能浄水器は、水道水や井戸水等の処理対象水が通過可能であり、主として家庭用の浄水器として好適であるが、飲食店等における商用としても利用可能である。
【図面の簡単な説明】
【００４７】
【図１】本発明に係る磁気マイナスイオン還元機能浄水器の実施形態を示す図である。
【符号の説明】
【００４８】
１０  磁気電子マイナスイオン活水器（第１カートリッジ）
１１  マイナスイオン発生セラミックス円形チューブ
１２  半導体セラミックス円形チューブ
１３  永久磁石
１４  磁性体金属又は樹脂板
２０  充填ろ材充填カートリッジ(第２カートリッジ)
２１  平膜フィルター
２２  平膜フィルター
３１  流入側チューブ
３２  吐出側チューブ
４０  ケース
５０  架台
６０  単極磁場磁気活性器
７０  切替コック
１００  磁気マイナスイオン還元機能浄水器
【図１】
2005296801.tif 000019